(57)【要約】【課題】二重床における床板の敷設作業が容易、迅速にできる支柱構造及びこの支柱構造による二重床の施工方法を提供する。【解決手段】基礎床上に敷き詰められる床板の各コーナー部を支柱によってその上部を床板に固定して下部を基礎床に非固定状態で支持する二重床構造において、上記支柱を、集合する床板を一括して固定するとともに、各床板の個別のコーナー部を支持する支柱上部と、各支柱上部に螺合して基礎床側に垂下し、下端に共通の接地板を取り付けた支柱下部とで構成するとともに、支柱上部又は支柱下部を床板の上方からの回転操作で上下動可能とし、支柱上部と支柱下部とを最大限捩じ込んだ状態で基準高さとなるようにしたことを特徴とする二重床構造。【選択図】　　　　図２
2004076354.tif 000002
【特許請求の範囲】
【請求項１】
基礎床上に敷き詰められる床板の各コーナー部を支柱によってその上部を床板に固定して下部を基礎床に非固定状態で支持する二重床構造において、上記支柱を、集合する床板を一括して固定するとともに、各床板の個別のコーナー部を支持する支柱上部と、各支柱上部に螺合して基礎床側に垂下し、下端に共通の接地板を取り付けた支柱下部とで構成するとともに、支柱上部又は支柱下部を床板の上方からの回転操作で上下動可能とし、支柱上部と支柱下部とを最大限捩じ込んだ状態で基準高さとなるようにしたことを特徴とする二重床構造。
【請求項２】
床板の支柱上部に対する固定が、支柱上部の対角線に連結板を掛け渡し、床板の上方から床板押えによって床板を連結板に締め付けるものである請求項１の二重床構造。
【請求項３】
支柱上部が、支柱下部を構成するネジ棒に螺合するナットと、ナットを一体的に保持するとともに、床板の上方から回転操作するための係合孔が形成されており、支柱上部と支柱下部とを最大限捩じ込んだ状態で支柱下部に下端が当接するナットホルダーとで構成される請求項１又は２の二重床構造。
【請求項４】
ナットホルダーが、ネジ棒の上端に螺合したナットに対して側方から挿入できるものである請求項３の二重床構造。
【請求項５】
支柱上部による床板の支持が、床板に形成された貫通孔に上部に形成された挿入部を挿入するとともに、挿入部の下部に形成された座部で貫通孔周囲の床板の底面を支持するものである請求項１〜４いずれかの二重床構造。
【請求項６】
座部の周囲に床板の底面に当たるフィンを設けた請求項５の二重床構造。
【請求項７】
請求項１〜６いずれかの二重床構造による二重床施工方法であり、この施工方法が、支柱上部と支柱下部とを最大限捩じ込んで基準高さに調整した支柱を、その接地板の中心を床板のコーナー部の中心位置に合わせて基礎床に置いて行き、次いで、床板を支柱上部で支持すると同時に支柱上部に固定する操作を所定の施工域で行った後、接地板と基礎床との間に隙間が生じている個所に該当する支柱上部又は支柱下部に対しては、床板の上方からの支柱上部又は支柱下部の回転操作によって当該隙間が生じている接地板の部分を基礎床に接地するまで降下させることを特徴とする二重床構造による二重床施工方法。
【発明の詳細な説明】
【０００１】
【発明の属する技術分野】
本発明は、床板を基礎床から一定高さ浮かせて敷設し、基礎床との間に所要空間を確保する二重床構造及びこの二重床構造による二重床施工方法に関するものである。
【０００２】
【従来の技術】
この種の二重床は、床板を支柱によって基礎床上に支持するが、この支柱には、一個の個体で形成した（床板と一体となったものもある）高さが固定した固定式と、ネジ等を利用して床板を載置する上部と基礎床に接地する下部とを回転させることで、高さを調整できる調整式とがある。このうち、調整式は、コストが高くつき、又、調整操作も必要とするが、不陸を吸収するには適しているから、不陸の比較的大きい基礎床や広い面積の基礎床に二重床を構築する場合に多く用いられている。
【０００３】
更に、調整式についても、集合する四枚の床板のコーナー部等を一個の支柱でまとめて支持する一本（又は一個）支柱タイプのものと、床板を個別に支持する四本支柱タイプのものとがある。前者のものは、コストが安く、且つ、調整操作も簡単であるが、調整に際しては、四枚の床板が同じ動きをするから、各床板を個別に調整するには無理がある。このため、厳密で精度の高い調整を必要とする場合には、特開２００１−４９８５５公報に見られるような四本支柱タイプのものを使用している。
【０００４】
【発明が解決しようとする課題】
ところが、上記した先行例を始めとして従来の調整型のものは、支柱の下部を基礎床に接着剤やアンカーボルトで固定することを前提としていた。従って、部屋のレイアウト替え等で二重床を再構築するには、支柱を基礎床から剥がさなければならず、それに多くの手間を要していた。更に、剥がした後も、接着剤等の除去や接着剤の強制除去によって傷付いた基礎床の修復にも余分な作業を強いられていた。このことは、近年流行の、旧借り手が撤去時にスケルトン状態に復元し、新借り手が好みの二重床にする、所謂、スケルトン貸しには非常に都合の悪いものであった。
【０００５】
更に、床板の敷設時に設定しておかなければならない上部の基準高さ（下部に対する上部の捩じ込み深さ）が明確でない。おそらく、下部に対する上部の高さを目分量で設定したり、下部と上部との間を物差しで図ったりして設定するものと思われるが、いずれにしても面倒であり、正確な初期設定はでき難い。特に、スケルトン貸し等を含むリニューアルでは、床高さが５０ｍｍ程度（床下の配線空間高さが２５ｍｍ程度）の低床タイプが多いから、初期設定が低すぎて床下のケーブルを傷つけたりすることがある。又、上部（床板）を下げる調整も許容されているから、下げすぎてケーブルを傷つけることもある。
【０００６】
【課題を解決するための手段】
以上の課題の下、本発明は、請求項１に記載した、基礎床上に敷き詰められる床板の各コーナー部を支柱によってその上部を床板に固定して下部を基礎床に非固定状態で支持する二重床構造において、上記支柱を、集合する床板を一括して固定するとともに、各床板の個別のコーナー部を支持する支柱上部と、各支柱上部に螺合して基礎床側に垂下し、下端に共通の接地板を取り付けた支柱下部とで構成するとともに、支柱上部又は支柱下部を床板の上方からの回転操作で上下動可能とし、支柱上部と支柱下部とを最大限捩じ込んだ状態で基準高さとなるようにしたことを特徴とする二重床構造を提供したものである。
【０００７】
以上の二重床構造による二重床施工方法は、請求項７に記載した、支柱上部と支柱下部とを最大限捩じ込んで基準高さに調整した支柱を、その接地板の中心を床板のコーナー部の中心位置に合わせて基礎床に置いて行き、次いで、床板を支柱上部で支持すると同時に支柱上部に固定する操作を所定の施工域で行った後、接地板と基礎床との間に隙間が生じている個所に該当する支柱上部又は支柱下部に対しては、床板の上方からの支柱上部又は支柱下部の回転操作によって当該隙間が生じている接地板の部分を基礎床に接地するまで降下させることになる。即ち、支柱は、その下端を基礎床に固定しないで床板との間を張ることになる。
【０００８】
本発明に係る二重床用の支柱構造に用いる支柱によれば、支柱上部と支柱下部とを最大限に捩じ込んで支柱上部が支柱下部に当たってそれ以上下がらない状態を基準高さとするものである。従って、この基準高さの状態が明確にわかり、基準高さに設定する操作も容易である。そして、この支柱による二重床の施工法は、上記のように、支柱上部と支柱下部とを最大限捩じ込んで基準高さに調整して床板を支持した支柱のうち、支柱下部と基礎床との間に隙間が生じている支柱に対し、支柱下部を基礎床に接地するまで下降させて行けばよいという一律的でわかり易い施工手順をとることができる点を最大の特徴としている。即ち、この支柱の調整操作には、支柱下部を上昇させる（支柱上部を下降させる）という操作は原則として存在しないから、支柱の基準高さにより決定される床下配線空間高さ内にケーブルを収容しておく限り、支柱のレベル調整やガタツキ調整の際に高さを下げ過ぎて配線を傷付けたり、配線に必要な床高の不足部分が発生することはない。よって、調整作業が容易になるし、床下空間が２５ｍｍ程度の低い二重床の場合であっても、レベル調整やガタツキ調整で下げ過ぎて床下のケーブルを傷つける事故が発生する等の心配がないから、配線収容性能が非常に高い二重床用の支柱構造となる。
【０００９】
【発明の実施の形態】
以下、本発明の実施の形態を図面を参照して説明する。図１は本発明に係る二重床構造の斜視図、図２は二重床構造を構成する支柱によって床板を基礎床上に敷設した状態の断面図であるが、この二重床は、基礎床１上に置かれる支柱２と、支柱で支持される床板３とで構成され、このうち、支柱２は、支柱上部４と支柱下部５とで構成される。支柱下部５は、コーナーに弾性材のシュー６が履かされた四角形の平板体からなる接地板７から四本のネジ棒８が正方形配置で起立させられたものである。
【００１０】
図３は支柱上部４と支柱下部５の斜視図、図４は図３のＡーＡ断面図であるが、支柱上部４は、ネジ棒８に螺合するナット体であるが、本例のナット体は、ネジ棒８に直接螺合する金属製の六角ナット９と、このナット９を回転不能に保持する樹脂製のナットホルダー１０とからなる。この場合、ナットホルダー１０には、その中間付近から下端にかけてネジ棒８を側方から出し入れ可能な幅のスリ割り溝１１が縦方向に形成されており、このスリ割り溝１１の上端に形成された幅広の溝部分に対してナット９を側方から挿入すれば、側方の導入路１２を経てその奥方に形成されたポケット１３に回転不能、且つ、上下移動不能に収容できるようになっている。
【００１１】
ナットホルダー１０のポケット１３上方付近の外周は径大に形成されており、途中から径小になって上方に続いている。径大部と径小部との境は平坦な段に形成されて床板３を受ける座部１４とし、又、径小部はそのまま上方に続いてこれを床板３のコーナーに設けた上下方向の貫通孔２６に挿入する挿入部１５としている。更に、座部１４の下方も径大にしてここから環状のフィン１６を上方に向けてその上端が座部１４よりも上方に位置するように突出させている。これらで床板３を支持するのであるが、その詳細については後述する。
【００１２】
以上の支柱上部４と支柱下部５との組付けは、ネジ棒８の上端に螺合したナット９をネジ棒８ごとナットホルダー１０のスリ割り溝１１に側方から挿入してポケット１３内に取り込み、その後、ナットホルダー１０を回転させてその下端がネジ棒８の底に当接するようにする。このとき、各ナットホルダー１０の座部１４は、接地板７の下面から所定長さ上がった位置に揃うようにしており、この状態になったときを支柱上部４と支柱下部５とが初期設定されたという。この点で、ナットホルダー１０にすり割り溝１１を形成すれば、ナットホルダー１０の回転量が減らせて初期設定操作が容易になる。
【００１３】
図５は以上のネジ棒８の他の例を示す二重床構造の断面図であるが、本例のものは、ナットホルダー１０のポケット１３よりも下方部分をなくすとともに、これに該当するネジ棒８の部分にネジを形成するのを省略し、上端に初期設定状態においてナットホルダー１０の下端が当接するフランジ部分を設けたものである。
ネジが必要なのは上半分であるから、ネジ形成に要するコストを削減したものであるが、同時に下部の径を太くできるから、剛性を上げられる利点もある。加えて、本例のものには、ナットホルダー１０とネジ棒８との間に緩み止め構造が施されている。
【００１４】
図６はこの緩み止め構造を示すネジ棒８とナットホルダー１０の斜視図、図７は図６のＢーＢ断面図であるが、ポケット１３の下方のナットホルダー１０の内周面の一部（９０度ピッチで３箇所）には、ネジ棒８のネジに一部食い込む突起１７が形成されており、これによって床板３等に振動が付与されても、ナット９、即ち、ナットホルダー１０が回転して上下しないようにしている。尚、図３等に示すナットホルダー１０にも同様の緩み止め構造は施されている。即ち、ポケット１３下方の内周面に加えて下端の内周面の上下二カ所を非接触部を設けて強く当てており、この二カ所の押圧によって緩みを防止しているのである。この他、ネジ棒８の上端がナットホルダー１０の上端に余す部分には、六角レンチ等が係合できる係合孔１８も形成されている。更に、この部分の外周は、六角形等の係合部１９にも形成されており、係合孔１８とは異なる種類の回転工具が係合できるようになっている。
【００１５】
対角線位置にあるナットホルダー１０には、これに嵌合して連結する連結板２０が掛け渡される。この連結板２０は、両端に孔２１が形成されたものであり、ナットホルダー１０のスリ割り溝１１からのナット９取り込みに先立って、この孔２１でもって対角線位置にあるネジ棒８に挿入しておき（接地板７まで下げておく）、ナットホルダー１０の装着後にその下端から挿入する。このとき、連結板２０は、ナットホルダー１０の外周面の一部に突設した微小突起を乗り越した後に上記したフィン１６下方の径大部でその上行は規制され、ナットホルダー１０から外れないようになっている。連結板２０の中心には、ボルト２２が上向きに突設されており、このボルト２２に後述する床板押え２７が螺合できるようになっている。
【００１６】
次に、以上の構成の二重床による二重床の施工方法について説明する。図８はナットホルダー１０に連結板２０を掛け渡した状態の支柱２の平面図、図９は図８のＣーＣ断面図、図１０はナットホルダー１０の一つに床板３を載せた状態の平面図であるが、まず、支柱上部４と支柱下部５とが初期設定され、対角線位置にあるナットホルダー１０に連結板２０が掛け渡された状態の支柱２を施工域に必要な数だけ用意しておく。
【００１７】
ところで、この初期設定によると、ナットホルダー１０に形成された座部１４は、基礎床１から最低高さになることになり、これを設計床高さに合わせておくのである。この点で、この支柱２は、接地板７を降下させる、即ち、床高さを高くする方に調整するのを基本とするものといえる（勿論、低くする方にも調整できるようにすることは可能である）。以上の支柱２が用意されたなら、支柱２の中心を集合する床板３のコーナー部の中心の位置に合わせて置いて行く。
【００１８】
次に、床板３をナットホルダー１０に形成した座部１４に載せるのであるが、この二重床に使用する床板３は、上板２３と下板２４とを間に空間を確保してかしめて一体化したものであり、コーナーには突端を切り欠いた低段部２５が、その中央寄りにはナットホルダー１０の位置に合わせて上下に貫通する貫通孔２６が形成されたものである。そこで、貫通孔２６をナットホルダー１０の挿入部１５に挿入する（このとき、下板２４の底面はその座部１４で支持される）操作を四枚の床板３すべてに行なう。尚、この床板３の降下操作のときに、上記したフィン１６はその衝撃を和らげるし、仮に、後述する床板３の締付けが甘くて座部１４上にガタが生じたとしても、このガタを吸収して音鳴り等を発生させない。
【００１９】
この状態の後、床板押え２７を床板３のコーナー部に円形に形成された低段部２５に挿入し、床板押え２７に形成されたネジ（雌ネジ）を連結板２０に設けられるボルト２２に螺合して、各床板３を連結板２０に対して締め付けて固定する。
尚、床板押え２７の上面には適宜係合穴２７ａが形成されているから、回転工具等をこの係合穴２７ａに係合して締め付ければよい。このとき、床板押え２７は低段部２５にほぼ隙間なく挿入され、締め付け後の上面は、床板３の上面と面一になるように設定されるのはいうまでもない。
【００２０】
図１１は以上の操作をした後の二重床の状態を示す断面図であるが、基礎床１に不陸があれば、接地板７の一部又は全部が基礎床１から浮いた状態になる支柱２の部分が発生する。尚、接地板７を基礎床１に固定しないで床板３を支柱２に対して強固に固定すると、床板３は、あたかも一枚物のように連結されて各床板３には剛性が与えられるから、たとえ、接地板７の下方に隙間が生じても、床板３が落ち込む状態にはならない。基礎床１と接地板７との間に生じた隙間をそのままにしておくと、床板３が歩行の度に沈み込んだり、音鳴りがしたりするから、接地板７を降下させて着地させる操作が必要になる。
【００２１】
そこで、この接地板７が浮いた個所に該当するナットホルダー１０を探り出し（上に乗ると床板３が下がるから容易にわかる）、その係合孔１８（又は係合部１９）を回転工具２８で回転操作し、接地板７が基礎床１に着地するまで降下させればよい。このとき、床板押え２７の係合穴２７ａとナットホルダー１０の係合孔１８の形状を同じにしておけば、同一の工具を使用できることになる。尚、この操作は、接地板７下方の隙間の生じ方によって、すべてのナットホルダー１０に対して行なう場合もあれば、一部のナットホルダー１０に対して行なう場合もある。
【００２２】
ところで、図５における床板押え２７は、図２における床板押え２７とはその構造を変えてある。即ち、この床板押え２７は、その先端に、周方向に漸高するカム２７ｂを形成したものであり、これに対応して連結板２０のボルト２２が在った部分に孔２９を形成し、この孔２９の裏面周囲にカム２７ｂを受けるカム面２９ａを形成したものである。尚、このカム２７ｂは、孔２９を通過しなければならないから、両者を長方形等に形成してその形状が合ったときのみ通過できるようにしておけばよい。これによると、床板押え２７を何回も回転させなくてもよいから、締付け操作が容易になる利点がある。
【００２３】
以上は、本発明の基本的な実施の形態であるが、この他に種々改変された形態をとることもある。その一つが以下に述べる（図示省略）ネジ棒を回転させる方法である。即ち、ネジ棒を接地板に回転可能に取り付けるとともに、ネジ棒の上端に上方からの操作で回転工具が係合できる係合穴を形成したものである。具体的には、ネジ棒の下端を接地板に対して軸方向移動不能に嵌合するのであるが、このときの嵌合部の公差は、ネジ棒と接地板とが直角でなくても、ネジ棒が回転できるラフなものにしておく。
【００２４】
これによると、基礎床に不陸があると、ネジ棒を回転させることになるが、このとき、床板は座部に強く押し付けられて摩擦抵抗が大きいから、接地板の重量のみによるネジ棒の摩擦抵抗の僅少さによってネジ棒の方が優先的に回転して接地板は下がる。本例のものによると、操作力が小さくて済む利点がある。尚、接地板の一部が着地して摩擦抵抗が増したとき等に座部と床板との滑りが懸念されるときには、座部と床板との接触面に凹凸等の滑り止めを施しておけばよい。
【００２５】
【発明の効果】
以上、本発明は、上記したものであるから、支柱上部と支柱下部とを最大限に捩じ込んで支柱上部が支柱下部に当たってそれ以上下がらない状態を基準高さとするものであるから、この基準高さの状態が明確にわかり、且つ、その操作も容易である。そして、この支柱による二重床の施工法は、支柱上部と支柱下部とを最大限捩じ込んで基準高さに調整して床板を支持した支柱のうち、支柱下部と基礎床との間に隙間が生じている支柱に対し、支柱下部を基礎床に接地するまで下降させて行けばよいという一律的でわかり易い施工手順をとることができる。従って、支柱の基準高さをケーブルを傷つけない高さに設定しておく限り、支柱のレベル調整やガタツキ調整の際に高さを下げ過ぎてケーブルを傷つけたりする事態がない。
【図面の簡単な説明】
【図１】本発明に係る二重床構造の斜視図である。
【図２】本発明に係る二重床構造の断面図である。
【図３】本発明に係る支柱上部と支柱下部の斜視図である。
【図４】図３のＡーＡ断面図である。
【図５】本発明に係る他の例の二重床構造の断面図である。
【図６】本発明に係る他の例の支柱上部と支柱下部の斜視図である。
【図７】図６のＢーＢ断面図である。
【図８】本発明に係るナットホルダーに連結板を掛け渡した状態の平面図である。
【図９】図８のＣーＣ断面図である。
【図１０】本発明に係るナットホルダーに一つの床板を載せた状態の平面図である。
【図１１】本発明に係る二重床構造に不陸が生じた状態の断面図でる。
【符号の説明】
１　　基礎床
２　　支柱
３　　床板
４　　支柱上部
５　　支柱下部
６　　シュー
７　　接地板
８　　ネジ棒
９　　ナット
１０　ナットホルダー
１１　スリ割り溝
１２　導入路
１３　ポケット
１４　座部
１５　挿入部
１６　フィン
１７　突起
１８　係合孔
１９　係合部
２０　連結板
２１　孔
２２　ボルト
２３　上板
２４　下板
２５　低段部
２６　貫通孔
２７　床板押え
２７ａ係合穴
２７ｂカム
２８　回転工具
２９　孔
２９ａカム面
【図１】
2004076354.tif 000003
【図２】
2004076354.tif 000004
【図３】
2004076354.tif 000005
【図４】
2004076354.tif 000006
【図５】
2004076354.tif 000007
【図６】
2004076354.tif 000008
【図７】
2004076354.tif 000009
【図８】
2004076354.tif 000010
【図９】
2004076354.tif 000011
【図１０】
2004076354.tif 000012
【図１１】
2004076354.tif 000013